【手続補正書】
【提出日】平成26年5月20日(2014.5.20)
【手続補正１】
【補正対象書類名】明細書
【補正対象項目名】発明の名称
【補正方法】変更
【補正の内容】
【発明の名称】携帯端末、ナビゲーションシステム、及び、プログラム
【手続補正２】
【補正対象書類名】明細書
【補正対象項目名】０００１
【補正方法】変更
【補正の内容】
【０００１】
この発明は、ナビゲーションに利用される携帯端末、ナビゲーションシステム、及び、プログラムに関する。
【手続補正３】
【補正対象書類名】明細書
【補正対象項目名】０００７
【補正方法】変更
【補正の内容】
【０００７】
この発明の目的は、大電力消費を抑えつつ、必要なナビゲーション情報をユーザが容易に取得可能な携帯端末、ナビゲーションシステム、及び、プログラムを提供することにある。
【手続補正４】
【補正対象書類名】明細書
【補正対象項目名】０００８
【補正方法】変更
【補正の内容】
【０００８】
上記目的を達成するため、本発明は、
携帯型外部機器との間で無線通信によりデータの送受信を行う無線通信手段と、
前記無線通信手段を用いて、予め設定された要求タイミングで前記携帯型外部機器にナビゲーションデータを要求し、前記携帯型外部機器からナビゲーションデータを取得する制御手段と、
前記制御手段からの制御信号に基づく表示を行う表示手段と、
方位を検出する検出手段と、
を備え、
前記制御手段は、
前記検出手段からの信号に基づいて取得した方位データに従って、前記無線通信手段により取得されたナビゲーションデータに含まれる方位情報を前記表示手段に表示させ、
前記無線通信手段により前記携帯型外部機器から取得したナビゲーションデータに基づいて、前記携帯型外部機器が表示するナビゲーションデータに比べて簡易であって、少なくとも進行方向の表示を含む簡易ナビゲーションデータを前記表示手段に表示させる
ことを特徴とする携帯端末である。
【手続補正５】
【補正対象書類名】明細書
【補正対象項目名】０００９
【補正方法】変更
【補正の内容】
【０００９】
本発明に従うと、携帯端末において大電力消費を抑えつつ、ユーザが容易に必要なナビゲーション情報を取得することが出来るという効果がある。
【手続補正６】
【補正対象書類名】明細書
【補正対象項目名】００１３
【補正方法】変更
【補正の内容】
【００１３】
本実施形態のナビゲーションシステム１は、腕装着型端末（携帯端末）としての電子時計４０と、携帯型外部機器としての携帯電話１０とにより構成される。電子時計４０は、時計本体と、バンドとを備え、腕装着が可能な腕時計型のものである。携帯電話１０は、基地局との無線通信を行う無線通信機能と共に、ＧＰＳ衛星からの電波を受信する機能を備えており、単体でＧＰＳ測位、及び、ユーザの進行方向についてのナビゲーション動作を実行可能である。また、電子時計４０及び携帯電話１０は、何れも近距離無線通信機能を備えており、例えば、ブルートゥース通信（登録商標：Bluetooth）による相互通信が可能となっている。
【手続補正７】
【補正対象書類名】明細書
【補正対象項目名】００４６
【補正方法】変更
【補正の内容】
【００４６】
携帯電話１０は、この時点で最新のナビゲーションデータを電子時計４０が要求する設定に合わせて電子時計４０へ送信する（ｄ）。或いは、携帯電話１０は、電子時計４０からナビゲーション情報の更新を要求された後に最初に取得されたナビゲーションデータを送信することとしても良い。電子時計４０は、受信したナビゲーションデータに基づいて表示部４６に表示させるナビゲーション情報を更新する。
なお、電子時計４０において、受信したナビゲーションデータのうち一部のみを表示部４６に表示する場合には、ユーザの操作に従って随時表示内容を切り替えることが可能である。
シーケンス（ｃ）、（ｄ）に係る通信は、電子時計４０からナビゲーション情報の更新要求（ｃ）がある度に繰り返し行われる。
【手続補正８】
【補正対象書類名】特許請求の範囲
【補正対象項目名】全文
【補正方法】変更
【補正の内容】
【特許請求の範囲】
【請求項１】
携帯型外部機器との間で無線通信によりデータの送受信を行う無線通信手段と、
前記無線通信手段を用いて、予め設定された要求タイミングで前記携帯型外部機器にナビゲーションデータを要求し、前記携帯型外部機器からナビゲーションデータを取得する制御手段と、
前記制御手段からの制御信号に基づく表示を行う表示手段と、
方位を検出する検出手段と、
を備え、
前記制御手段は、
前記検出手段からの信号に基づいて取得した方位データに従って、前記無線通信手段により取得されたナビゲーションデータに含まれる方位情報を前記表示手段に表示させ、
前記無線通信手段により前記携帯型外部機器から取得したナビゲーションデータに基づいて、前記携帯型外部機器が表示するナビゲーションデータに比べて簡易であって、少なくとも進行方向の表示を含む簡易ナビゲーションデータを前記表示手段に表示させる
ことを特徴とする携帯端末。
【請求項２】
前記制御手段は、予め設定された時間間隔又は進行方向が所定値以上変化した場合に、前記携帯型外部機器にナビゲーションデータを要求する
ことを特徴とする請求項１に記載の携帯端末。
【請求項３】
ユーザの入力操作を受け付ける操作手段を備え、
前記制御手段は、当該操作手段からの操作信号に基づいて、前記無線通信手段により、前記携帯型外部機器へナビゲーションデータの送信に係る要求を行う
ことを特徴とする請求項１又は２に記載の携帯端末。
【請求項４】
前記制御手段は、
前記携帯型外部機器からナビゲーションデータの作成に必要な測位衛星からの電波の受信失敗を示す信号を取得した場合には、当該測位衛星からの電波を再受信可能な位置への経路情報を前記携帯型外部機器から取得して前記表示手段に表示させる
ことを特徴とする請求項１〜３の何れか一項に記載の携帯端末。
【請求項５】
前記制御手段は、
前記携帯型外部機器からナビゲーションデータの作成に必要な測位衛星からの電波の受信失敗を示す信号を取得した場合には、前記携帯型外部機器から暫定的なナビゲーションデータを取得して前記表示手段に表示させる
ことを特徴とする請求項１〜３の何れか一項に記載の携帯端末。
【請求項６】
他の機器と無線通信によりデータの送受信を行う外部無線通信手段と、
測位衛星からの電波を受信して解読し、現在位置データを取得する測位データ受信手段と、
地図データを記憶する地図データ記憶手段と、
移動目的地を設定入力する入力手段と、
前記測位データ受信手段により取得された現在位置データ、前記地図データ、及び、前記移動目的地に基づいて、移動ルートを決定し、ナビゲーションデータを作成するナビゲーションデータ作成手段と、
を備える携帯型外部機器と、
請求項１〜４の何れか一項に記載の携帯端末と、
を備え、
前記制御手段は、前記携帯型外部機器のナビゲーションデータ作成手段により作成されたナビゲーションデータを前記外部無線通信手段及び前記無線通信手段の間での無線通信により取得し、前記表示手段に前記簡易ナビゲーションデータを表示させる
ことを特徴とするナビゲーションシステム。
【請求項７】
前記測位データ受信手段が測位衛星からの電波受信に失敗した場合には、
前記ナビゲーションデータ作成手段は、
前記地図データに基づき、前記測位衛星からの電波を受信可能な再受信可能地点を算出し、当該再受信可能地点までの経路情報を設定する
ことを特徴とする請求項６に記載のナビゲーションシステム。
【請求項８】
前記地図データには、地下街、地下道の地図データ、及び、建築物の高さデータが含まれている
ことを特徴とする請求項７に記載のナビゲーションシステム。
【請求項９】
他の機器と無線通信によりデータの送受信を行う外部無線通信手段と、
測位衛星からの電波を受信して解読し、現在位置データを取得する測位データ受信手段と、
地図データを記憶する地図データ記憶手段と、
移動目的地を設定入力する入力手段と、
前記測位データ受信手段により取得された現在位置データ、前記地図データ、及び、前記移動目的地に基づいて、移動ルートを決定し、ナビゲーションデータを作成するナビゲーションデータ作成手段と、
移動方向を検出する移動方位検出手段と、
前記移動方向、移動時間、及び、所定のパラメータを用いて移動量を算出する移動ベクトル算出手段と、
を備える携帯型外部機器と、
請求項５に記載の携帯端末と、
を備え、
前記ナビゲーションデータ作成手段は、前記測位データ受信手段が測位衛星からの電波受信に失敗した場合には、当該測位データ受信手段により取得された最新の現在位置データに前記移動ベクトル算出手段が算出した移動量を加算することで現在位置を算出し、前記暫定的なナビゲーションデータを作成する
ことを特徴とするナビゲーションシステム。
【請求項１０】
前記ナビゲーションデータ作成手段は、所定の間隔でナビゲーションデータを作成し、
前記制御手段は、予め設定された条件に適合する場合にのみ前記携帯型外部機器に当該ナビゲーションデータを要求する
ことを特徴とする請求項６〜９の何れか一項に記載のナビゲーションシステム。
【請求項１１】
携帯型外部機器との間で無線通信によりデータの送受信を行う無線通信手段と、表示手段と、方位を検出する検出手段と、を備えるコンピュータを、
前記無線通信手段を用いて、予め設定された要求タイミングで前記携帯型外部機器にナビゲーションデータを要求し、前記携帯型外部機器からナビゲーションデータを取得する制御手段として機能させ、
前記制御手段は、
前記検出手段からの信号に基づいて取得した方位データに従って、前記無線通信手段により取得されたナビゲーションデータに含まれる方位情報を前記表示手段に表示させ、
前記無線通信手段により前記携帯型外部機器から取得したナビゲーションデータに基づいて、前記携帯型外部機器が表示するナビゲーションデータに比べて簡易であって、少なくとも進行方向の表示を含む簡易ナビゲーションデータを前記表示手段に表示させる
ことを特徴とするプログラム。